(57)【要約】      （修正有）【課題】北海道で栽培されるてん菜は３月上旬にビニールハウスの中で播種されて、畑に移植される４月下旬まで育てられるが、苗が乾燥しないように苗の周りに育苗枠を設置している。その育苗枠を固定する従来の金具は、クイの頭をハンマーで叩いて土に打ち込んで育苗枠を固定する重作業が発生していた。また、てん菜の苗を丈夫にするためにてん菜苗の下をワイヤーで引っ張り移動させ、苗の根を切る作業が育苗中に行われ、育苗枠を固定させるため土に打ち込まれているクイを抜く作業と終了後再度打ち込む作業が発生している。【解決手段】鉄・アルミ・プラスチック等の材料でＬ字の金具を作成し、育苗枠とてん菜苗の下に金具の一部を差し込み、従来のように土にクイを打ち込まないで育苗枠を固定させる。てん菜苗を丈夫にする根切り作業は育苗枠の固定金具を土に打ち込まないので、育苗作業の重作業の省力が図れる。【選択図】図１
0003106632.tif 000002
【実用新案登録請求の範囲】
【請求項１】
てん菜育苗枠を固定し、育苗管理作業を省力化するための金具
【考案の詳細な説明】
【０００１】
【考案の属する技術分野】
本考案はてん菜の育苗を省力化にする金具の農業資材に関する。
【０００２】
【従来の技術】
てん菜は３月上旬にビニールハウスの中で播種されて、畑に移植される４月下旬まで育てられるが、苗が乾燥しないように苗の周りに育苗枠を設置する技術が普及している。
その育苗枠を固定する従来の金具は、クイの頭をハンマーで叩いてクイを土に刺して育苗枠を固定する重作業が発生していた。  また、てん菜の苗を丈夫にするために根を切る作業が育苗中に２〜３回行われている。その方法はてん菜苗の底をワイヤーで苗の根を切る方法と苗をづらす作業であるが、苗を丈夫にする作業は育苗枠を動かすため土に刺さっているクイを抜く作業、さらに作業終了後再度打ち刺す重作業が発生している。また畑にてん菜を移植する時に固くハウスの土に刺さっているクイを抜く重作業も発生している。
0003106632.tif 000003
0003106632.tif 000004
【０００３】
【考案が解決しようとする課題】
１、てん菜苗を設置する時に育苗枠を固定するクイをハンマーで叩く作業の省力
２、苗を丈夫にする根切り作業・苗づらし作業は育苗期に２〜３回実施されるが、その都度育苗枠を固定していたクイの除去と作業終了後再度打ち込む作業の省力。
３、畑に移植する時の固く打ち付けられたクイを抜く重作業の省力。
４、金具の背中にパイプを溶接し、てん菜苗の保温のためシートを被覆するトンネル支柱を差し込むように装着する。
【０００４】
【課題を解決するための手段】
鉄・アルミ・プラスチック等の材料でＬ字の金具を作成し、育苗枠とてん菜苗の下に金具の一部を差し込み、従来のような土に打ち込まない金具で育苗枠を固定させる。
てん菜苗を丈夫にする根切り作業はてん菜苗の底をワイヤーで根を切る目的で引っ張り移動させるため、育苗枠の固定金具を土に打ち込まないことで、何度でも省力した作業ができる。
苗づらし作業は育苗枠を固定した状態で作業を実施できるのでクイの除去と作業終了後再度打ち込む作業の省力ができる。
育苗枠の固定金具を土に打ち込まないため、畑に移植する時の固く打ち込まれたクイを抜く重作業の省力ができる。
0003106632.tif 000005
【０００５】
【考案の実施の形態】
てん菜育苗枠を固定させるＬ字型の金具をてん菜苗の下に一部を差し込み、育苗枠を固定させる。  金具の底に小さな突起を作る、また、円の穴を空けて底の土が浮き上がり金具が動かないようにする。
金具の背中にパイプを溶接し、シートを被覆するためのトンネル支柱を刺せるように溶装着する。
てん菜苗の育苗枠両端を横に固定する金具を装着する。
【図面の簡単な説明】
【図１】
0003106632.tif 000006
【図２】
0003106632.tif 000007
【図３】
0003106632.tif 000008
【図４】
0003106632.tif 000009
【手続補正書】
【提出日】平成15年11月23日(2003.11.23)
【手続補正１】
【補正対象書類名】明細書
【補正対象項目名】全文
【補正方法】変更
【補正の内容】
【実用新案登録請求の範囲】
【請求項１】
鋼材（ハガネ）の４ｍｍ丸棒、または鉄・アルミ・プラスチック等の材料を、てん菜育苗枠を挟み込むように折り曲げて使用する。また、てん菜苗の下にその一部を挿入し、てん菜育苗枠を固定するための金具
【考案の詳細な説明】
【０００１】
【技術分野】
本考案はてん菜の育苗を省力化にする金具の農業資材に関する。
【０００２】
【背景技術】
てん菜は３月上旬にビニールハウスの中で播種されて、畑に移植される４月下旬まで育てられるが、苗が乾燥しないように苗の周りに育苗枠を設置する技術が普及している。
その育苗枠を固定する従来の金具は、クイの頭をハンマーで叩いてクイを土に打ち込んで育苗枠を固定する重作業が発生していた。また、てん菜の苗を丈夫にするために、苗の底面をワイヤーで引くか、苗を移動するかのどちらかの方法で根を切る作業が育苗中に２〜３回行われている。その作業は育苗枠を動かすために土に刺さっているクイを抜く作業、さらに作業終了後、再度打ち刺す重作業が発生している。また畑にてん菜を移植する時に堅く、ハウスの土に刺さっているクイを抜く重作業も発生している。
【０００３】
【考案が解決しようとする課題】
１、てん菜苗の設置時に育苗枠を固定するクイをハンマーで叩く作業の省力。
２、てん菜苗を丈夫にする根切り作業、根づらし作業は育苗期に２〜３回実施するが、その都度育苗枠を固定していた、堅く打ち込まれたクイの除去と作業終了後再度打ち込む作業の省力。
３、畑に移植する時の固く打ち込まれたクイを抜く重作業の省力。
【０００４】
【課題を解決するための手段】
育苗枠を固定させるクイを土に打ち込まないで固定する金具を考案する。
【０００５】
【考案を実施するための最良の形態】
１、鋼材の４ｍｍ丸棒を折り曲げ育苗枠を上下に挟み固定させて、鋼材丸棒の一部をてん菜苗の底面へ２５０ｍｍ挿入させて育苗枠を固定させる。
２、鉄・アルミ・プラスチック等の材料で幅２００ｍｍのＬ字の金具を作成し、育苗枠とてん菜苗の下に金具の一部を１００ｍｍ差し込み、苗枠を固定させる。夜間の温度低下のためシートを被覆する場合は、育苗枠固定金具の背中にパイプを溶接し、シートを被覆するためのトンネル支柱を刺せるように溶装着する。
【図面の簡単な説明】
【図１】鋼材（４ｍｍ丸棒）を使用した、てん菜苗・てん菜育苗枠・てん菜育苗枠固
定金具の断面図である。
【図２】鋼材（４ｍｍ丸棒）を使用した、てん菜育苗枠固定金具の斜視図である。
【図３】鉄・アルミ・プラスチック等の厚さ２ｍｍの板材料を使用した、てん菜苗・    てん菜育苗枠・てん菜育苗枠固定金具の断面図である。
【図４】鉄・アルミ・プラスチック等の厚さ２ｍｍの板材料を使用した、てん菜苗・    てん菜育苗枠・てん菜育苗枠固定金具の斜視図である。
【符号の説明】
１  てん菜育苗枠固定金具
２  てん菜育苗枠
３  てん菜苗


【手続補正２】
【補正対象書類名】図面
【補正対象項目名】全図
【補正方法】変更
【補正の内容】
【図１】
0003106632.tif 000010
【図２】
0003106632.tif 000011
【図３】
0003106632.tif 000012
【図４】
0003106632.tif 000013
【手続補正書】
【提出日】平成16年3月24日(2004.3.24)
【手続補正１】
【補正対象書類名】明細書
【補正対象項目名】全文
【補正方法】変更
【補正の内容】
【実用新案登録請求の範囲】
【請求項１】１、  てん菜育苗枠を固定する金具において
（１）鋼材の丸棒を使用した金具
鋼材の丸棒をコの時に折り曲げ、てん菜育苗枠を上下で挟み込み、さらに鋼材丸棒の一部をてん菜苗の底面へ約２５０ｍｍ挿入させて育苗枠を固定させる。
（２）鉄・アルミ・プラスチック等を使用した金具
鉄・アルミ・プラスチック等の材料で幅２００ｍｍのＬ字の金具を作成し、育苗枠前後で挟み込み固定させ、てん菜苗の底面に金具の一部を１００ｍｍ差し込み、育苗枠を固定させる。
（３）夜間の温度低下を防ぐためシートを被覆する場合は、育苗枠固定金具の背中にシートを被覆するためのトンネル支柱を刺せるようにパイプを溶装着する。
以上からなる  てん菜育苗枠固定金具。
【考案の詳細な説明】
【０００１】
【考案の属する技術分野】
本考案はてん菜の育苗を省力化にする金具の農業資材に関する。
【０００２】
【従来の技術】
てん菜は３月上旬にビニールハウスの中でペーパーポットに播種されて、畑に移植される４月下旬まで育てられるが、苗が乾燥しないようにペーパーポットの周りに育苗枠を設置する技術が普及している。
その育苗粋を固定する従来の金具は、クイの頭をハンマーで叩いてクイを土に打ち込んで育苗枠を固定する重作業が発生していた。また、てん菜の苗を丈夫にするために、苗の底面をワイヤーで引くか、苗を移動するかのどちらかの方法で根を切る作業が育苗中に２〜３回行われている。その作業は育苗枠を動かすために土に刺さっているクイを抜く作業、さらに作業終了後、再度打ち込む重作業が発生している。また畑にてん菜を移植する時に堅く、ハウスの土に刺さっているクイを抜く重作業も発生している。
【０００３】
【考案が解決しようとする課題】
１、てん菜苗の設置時に育苗枠を固定するクイをハンマーで叩く作業の省力。
２、てん菜苗を丈夫にする根切り作業、根づらし作業は育苗期に２〜３回実施するが、その都度育苗枠を固定していた、堅く打ち込まれたクイの除去と作業終了後再度打ち込む作業の省力。
３、畑に移植する時の固く打ち込まれたクイを抜く重作業の省力。
【０００４】
【課題を解決するための手段】
育苗枠を固定させるクイを土に打ち込まないで固定する金具を考案する。
【０００５】
【考案の実施の形態】
１、  てん菜育苗枠を固定する金具において
（１）鋼材の４ｍｍ丸棒を使用した金具
鋼材の４ｍｍ丸棒をコの時に折り曲げて育苗枠を上下に挟み込み、また、鋼材丸棒の一部をてん菜苗の底面へ約２５０ｍｍ挿入させて育苗枠を固定させる。
（２）鉄・アルミ・プラスチック等を使用した金具
鉄・アルミ・プラスチック等の材料で幅２００ｍｍのＬ字の金具を作成し、育苗粋前後で挟み込み固定させ、てん菜苗の底面に金具の一部を１００ｍｍ差し込み、苗枠を固定させる。
（３）夜間の温度低下のためシートを被覆する場合は、育苗枠固定金具の背中にシートを被覆するためのトンネル支柱を刺せるようにパイプを溶装着する。
以上からなる  てん菜育苗枠固定金具。
【図面の簡単な説明】
【図１】鋼材（４ｍｍ丸棒）を使用した、てん菜苗・てん菜育苗枠・てん菜育苗粋固定金具の断面図である。
【図２】鋼材（４ｍｍ丸棒）を使用した、てん菜育苗枠固定金具の斜視図である。
【図３】鉄・アルミ・プラスチック等の厚さ２ｍｍの板材料を使用した、てん菜苗・てん菜育苗粋・てん菜育苗枠固定金具の断面図である。
【図４】鉄・アルミ・プラスチック等の厚さ２ｍｍの板材料を使用した、てん菜苗・てん菜育苗枠・てん菜育苗枠固定金具の斜視図である。
【符号の説明】
１  てん菜育苗枠固定金具
２  てん菜育苗枠
３  てん菜苗


【手続補正２】
【補正対象書類名】図面
【補正対象項目名】全図
【補正方法】変更
【補正の内容】
【図１】
0003106632.tif 000014
【図２】
0003106632.tif 000015
【図３】
0003106632.tif 000016
【図４】
0003106632.tif 000017